(57)【要約】【課題】  正面要素を固定する操作をより簡単に許容するこの種の支持フレームワークを創作すること。【解決手段】  ガラス板、保持横木などのような互いに並んで配置された平らな正面要素から形成された正面（１）用の支持フレームワークは形材保持体（３）を包含する。この形材保持体（３）は正面と平行に配置された保持横木（５）と正面とおよそ垂直に位置するウエブ（４）とから形状されている。保持横木（５）とウエブ（４）が実質的に平らな材料帯である。少なくとも一方のウエブ（４）が一部材でウエブ（４）と共に形成されて、一方の保持横木（５）の差込み開口（１０）内に突き出す突起（１５）を有する。突起（１５）には正面要素を固定する保持装置（１８）が設けられ、この保持装置（１８）は少なくとも一つのピン状或いはボルト状構成部材（３６）を包囲し、この構成部材（３６）は構成部材（３６）が保持横木（５）によってウエブ（４）の突起（１５）に保持されるように配置されている。
2007515574.tif 000002
【特許請求の範囲】
【請求項１】
ガラス板、保持横木などのような互いに並んで配置された平らな正面要素から形成された正面（１）用の支持フレームワークであって、正面と平行に配置された保持横木（５）と正面とおよそ垂直に位置するウエブ（４）とを包含する形材保持体（３）を備えて、保持横木（５）とウエブ（４）が実質的に平らな材料帯であり、少なくとも一方のウエブ（４）が一部材でウエブ（４）と共に形成されて、一方の保持横木（５）の差込み開口（１０）内に突き出す突起（１５）を有する支持フレームワークにおいて、突起（１５）には正面要素を固定する保持装置（１８）が設けられ、この保持装置（１８）は少なくとも一つのピン状或いはボルト状構成部材（３６）を包囲し、この構成部材（３６）は構成部材（３６）が保持横木（５）によってウエブ（４）の突起（１５）に保持されるように配置されていることを特徴とする支持フレームワーク。
【請求項２】
突起（１５）は保持みぞ（１６，２４，２５，３６）を有し、保持みぞ（１６，２４，２５，３６）に配置されているヘッド（１２，２１，２２，２３）を備えていることを特徴とする請求項１に記載の支持フレームワーク。
【請求項３】
突起（１５）内に形成された保持みぞ（１６，２４，２５，３６）が保持横木（５）の平面に延びることを特徴とする請求項２に記載の支持フレームワーク。
【請求項４】
突起（１５）の高さ（ｈ）は保持横木（５）の厚さ（ｄ）より小さいことを特徴とする請求項３に記載の支持フレームワーク。
【請求項５】
突起（１５）の横断面は差込み開口（１０）の横断面とおよそ一致することを特徴とする請求項１乃至４のいずれか一項に記載の支持フレームワーク。
【請求項６】
保持みぞ（１６，２４，２５，３６）はウエブ（４）によって定義された平面を横切って延びていることを特徴とする請求項２乃至５のいずれか一項に記載の支持フレームワーク。
【請求項７】
突起（１５）にはスリット（４５）が形成されており、そのスリットを通して構成部材（３６）が突き出すことを特徴とする請求項２乃至６のいずれか一項に記載の支持フレームワーク。
【請求項８】
保持みぞ（１６）は実質的に二等辺三角形に一致し且つ構成部材（６，３６）のヘッド（１２）が円錐状である横断面形状を有することを特徴とする請求項２乃至７のいずれか一項に記載の支持フレームワーク。
【請求項９】
保持みぞ（２４）の横断面形状は半円状であり、構成部材（６，３６）のヘッド（２１）は半球状であることを特徴とする請求項２乃至７のいずれか一項に記載の支持フレームワーク。
【請求項１０】
保持みぞ（２５，２６）は実質的に直角であり、構成部材（６，３６）のヘッド（２２，２３）は円筒状であることを特徴とする請求項２乃至７のいずれか一項に記載の支持フレームワーク。
【請求項１１】
保持装置（１８）は突起（１５）にて制限的に移動可能に及び制限的に旋回可能に又はそのいずれかに保持されていることを特徴とする請求項１乃至１０のいずれか一項に記載の支持フレームワーク。
【請求項１２】
突起（１５）は、例えば溶接或いは貼付けによって差込み開口（１０）に固定されていることを特徴とする請求項１乃至１０のいずれか一項に記載の支持フレームワーク。
【発明の詳細な説明】
【技術分野】
【０００１】
この発明は、請求項１の上位概念に挙げられた種類のガラス板、保持横木などのような互いに並んで配置された平らな正面要素から形成された正面用の支持フレームワークに関する。
【背景技術】
【０００２】
ドイツ特許第１９８５８４９７号明細書（特許文献１）から、正面要素が固定されている形材保持体から成る正面用の支持フレームワークが知られている。形材保持体に正面要素を固定するために、固定ボルトが設けられ得る。その際にこの固定ボルトは形材保持体にねじ込まれる。
【特許文献１】ドイツ特許第１９８５８４９７号明細書
【発明の開示】
【発明が解決しようとする課題】
【０００３】
この発明の課題は、正面要素を固定する操作をより簡単に許容するこの種の支持フレームワークを創作することを基礎としている。
【課題を解決するための手段】
【０００４】
この課題は、請求項１の特徴事項を備える支持フレームワークによって解決される。
【０００５】
保持装置は突起に保持され、しかも特に突起に形成された保持みぞに保持され、そのみぞにピン或いはボルト状構成要素のヘッドが挿入される。突起を保持横木の差込み開口に導入することによって、追加的措置なしに保持装置の維持が強制的に行われる。保持みぞとヘッドの実施態様に応じて、公差が補償されるので、正面要素の形材保持体への最適固定が可能である。保持装置の突起への結合は、形材保持体において最適印象を妨害し得る追加的固定要素を見ることができないことを保証する。同時に、保持装置の突起への結合は、ウエブに保持横木の固定を可能とするので、追加的固定要素が必要とされることなしに、形材保持体の高剛性が生じる。
【０００６】
ヘッドは保持みぞの長手方向にこのみぞ内で移動できるので、簡単な方法で形材保持体の保持横木の平面における公差の補償が可能である。けれども、ヘッドは保持みぞ内で僅かに旋回できるので、傾斜公差も補償され得る。保持みぞとヘッドは簡単な方法で仕上げられるので、簡単な製造性が生じる。ヘッドが保持みぞ内でのみ挿入されなければならないから、突起への保持装置の組立てが簡単である。目的に適って、保持みぞが突起に形成されて保持横木の平面に延びている。この保持みぞはウエブと共に作業工程で仕上げられ得る。この場合には、みぞ内に形成された保持みぞをもつ突起は、目的に適って、循環する切断辺をもつウエブと共働して、例えばレザー切断によって仕上げられる。みぞが保持横木の平面に延びていることによって、みぞが差込み開口の壁により横に制限されている。組立ての際には、ヘッドはウエブと保持横木の組立ての前に保持みぞに導入される。ウエブと保持横木の組立て後に、保持みぞはその前面にて差込み開口の壁により閉鎖されるので、保持装置は形材保持体に保持されている。保持装置の固定の際にはヘッドは保持みぞの長手ウエブに対して押圧されて力一体的にこの保持みぞに固定される。目的に適って、突起の高さは保持横木の厚さより小さいので、突起は保持横木のウエブと反対を向いた面には突き出さず、それで外部から見ることができない。
【０００７】
保持みぞの横断面と構成要素のヘッドの形状とは種々に構成され得て、この場合に規格化されたピン或いはボルトが質量製品として意のままに使えて、それ故に好ましい価格で使用される。
【０００８】
目的に適って、突起が差込み開口に固定されており、特に溶接或いは貼付けによって固定されている。それによって形材保持体は簡単な形式で構成箇所に予め組立てられて固定され得る。これによって、簡単な組立てが行われる。保持横木の平面におけるウエブに保持横木を形状一体的固定を達成するために、突起の横断面がおよそ差込み開口の横断面と一致することが企図されている。
【発明を実施するための最良の形態】
【０００９】
この発明の実施例は次に図面に基づいて説明される。
【００１０】
図１に概略切断図で示された正面１は、支持フレムワークに固定されているガラス板２から成る。この支持フレムワークは、図１において正面１の長手方向に延びている形材保持体３が切断されて示される形材保持体３から成る。切断切断されて示された形材保持体３はこれに垂直に配置された形材保持体３によって互いに連結されている。この形材保持体３は正面１の平面に垂直に立ち、保持横木５には配置されているウエブ４から構成され、この保持横木５は正面平面と平行に延びている。保持横木５にはガラス板２が固定されている。この形材保持体３は実施例ではＴ字状に形成されているけれども、他の形状型がウエブ４と保持横木５から形成されている。ガラス板２は一枚の二重ガラス板を形成し、この場合に形材保持体３の領域には、それぞれに一つのパッキング１３がガラス板２間に配置されている。
【００１１】
保持横木５に向いたガラス板２はその長手側面によりそれぞれに一つの絶縁体１１を介して保持横木５上に配置する。ガラス板２は、少なくとも一つのピン或いはボルト状構成部材３６を包含し、具体的実施例では、ねじピン６として形成される保持装置１８を介して形材保持体３に保持されている。各ねじピン６は形材保持体３に固定され、ねじピンにねじ込まれたナットを介して固定円板８上に押圧し、その固定円板は密封枠１４によって外側に位置するガラス板２の長手側面をそれぞれの横木５の前面７に対して固定する。請求する光学的発生画像を得るために、形材保持体３の領域には、正面１の外方に向く側面上に装飾枠９が配置され得て、装飾枠９は密封枠１４の領域並びにねじピン６の密封枠間に位置する領域完全に覆う。ガラス板２と保持横木５の前面の間には一つの絶縁体が設けられている。
【００１２】
側面図が図２に示されるように、ウエブ５は長方形、矩形横断面をもつ貫通差込み開口１０を有する。この差込み開口１０は保持横木５の平面３２と前面７に対して垂直に延びている。この差込み開口１０のウエブ４の平面と垂直に測定された高さｃはおよそウエブ４の図４に示された厚さｅと一致する。図２が示すように、ウエブ４は、ウエブ４の平面においてウエブ４の長手側面３１にわたり外方に延びている突起１５を有する。この突起１５はおよそ差込み開口１０の幅ａと一致するウエブ４の長手方向に測定された幅ｂを有する。それによって突起１５は、差込み開口１０の横断面と一致する長方形、特に矩形横断面を有する。突起１５は差込み開口１０に差込まれて、保持横木５の平面においてウエブ４に保持横木５の形状一体的固定を導く。
【００１３】
突起１５は図３に示された保持横木５の厚さｄより小さい高さｈを有するので、突起１５は保持横木５を越えて抜け出るのではなく、むしろ完全に差込み開口１０に配置されている。図２に示されるように、突起１５は保持みぞ１６を有し、そのみぞの横断面が実質的に二等辺三角形を形成する。この保持みぞ１６は突起１５のウエブ４の反対を向いた面に保持みぞ１６を開口するスリット４５を有する。このスリット４５の両側には後方切断部１７が形成されている、というのはスリット４５の幅が最大みぞ幅より小さいからである。
【００１４】
ガラス板２を形材保持体３に固定するために、図２に示されたねじピン６を包含する固定装置が設けられている。このねじピン６は回転対称であり、保持みぞ１６内に挿入され得て、後方切断部１７にてその長手方向に、つまりおよそ保持横木５の平面に垂直に固定されている円錐状ヘッド１２を有する。保持みぞ１６の長手方向において、ねじピン６は保持みぞ１６内で所定領域に移動される。突起１５はウエブ４と一部材で形成されている。ウエブ４と保持横木５は平らな材料帯、特にブリキ薄板から切り出されている。この場合にはウエブ４は循環する切断辺を有するので、ウエブは例えばレザー切断によってブリキ薄板から切り出され得る。この場合に、保持みぞ１６は突起１５とウエブ４と共に作業工程で切り出される。
【００１５】
図３は形材保持体３の長手方向における断面において形状保持体に配置されたガラス板２を備える形材保持体３を示す。ガラス板２は保持装置１８を介して形材保持体３に固定され、その形材保持体はねじピン６を包含する。ウエブ４の突起１５は保持横木５内の差込み開口１０に突き出す。突起１５の保持みぞ１６内にねじピン６のヘッド１２が配置されている。図４の横断面のように、保持みぞ１６はその前面にて差込み開口１０の側壁４９によって限定されているので、ねじピン６は差込み開口１０の両側壁４９の間の領域にて保持みぞ１６内に挿入され得る。
【００１６】
図３と図４に示されるように、ねじピン６上にねじスリーブ１９がねじ込まれ、このスリーブ１９は外六辺を有して保持横木５の外面に存在する円盤状座金５０上に作用する。この形式では、ねじピン６が保持みぞ１６内に固定され得る。ガラス板２を固定するために、固定円板８が設けられ、密封枠１４を介して外側に位置するガラス板２の長手面上に押圧し、ガラス板２をそのガラス板間に位置するパッキング１３により保持横木５に対して固定する。この円板８はナット２０を介してねじピン６上に固定されている。ヘッド１２が回転対称であるから、ヘッドはみぞ１６内のある領域で旋回できる。固定装置１８を介して、保持みぞ１６内の長手方向における公差並びにある領域における角度公差が補償され得る。けれども、ヘッド１２は保持みぞ１６に垂直に立つ側壁を有し、プリズムの形状を持ち得る。それによってねじピン６は保持みぞ１６内に旋回しなく保持されている。
【００１７】
図３と図４には、ねじピン６は全長にわたり外面まで突き出すピンとして図示されている。目的適った選択態様は、ねじピン６が単にねじスリーブ１９の中心まで到達し、外部からねじをねじスリーブ１９内にねじ込まれることにある。
【００１８】
図５乃至７には、保持みぞとそのみぞ内に配置されたヘッドの実施例が示されている。図５は半円状ヘッド２１を備えるねじピン６を示し、そのヘッドは突起１５の横断面の半円状保持みぞ２４内に配置され得る。このヘッド２１はねじピン６として形成された構成部材３６を旋回から保持するために、半シリンダの形状を有し得る。
【００１９】
図６に示されたヘッド２２は実質的に円筒状に形成されている。ヘッドは突起１５の保持みぞ２５内に配置され得て、そのみぞは実質的に長方形横断面を有する。みぞ２５は突起１５の高さｈより小さい深さｔを有する。みぞ底４７はそれによって完全に差込み開口１０に配置されているので、形材保持体３の組立て状態にて、つまり長手側面上に当接する保持横木５により、みぞ２５が見ることができない。このみぞ２５はウエブ４と反対を向いた側面上に横に二つの保持ウエブ２７によって制限されている。保持ウエブ２７の後方に向いた上面は丸く形成されている。ヘッド２２は矩形状に形成され得る。
【００２０】
図７に示された実施例では、ヘッド２３は円筒状に形成され、保持みぞ２６に突き出し、そのみぞ底３０は凹面に形成されている。後方切断部を形成するみぞ２６を限定する保持ウエブはその外方に向く面上に丸く形成されており、その後方切断部ではヘッド２３が保持みぞ２６内に保持されている。このヘッド２３は同様に矩形状に形成され得る。
【図面の簡単な説明】
【００２１】
【図１】正面を通る概略断面図を示す。
【図２】形材保持体の個別部材と固定装置のねじピンを側面図で示す。
【図３】図２によるねじピンを包含する固定装置を備える形材保持体を通る断面図を示す。
【図４】図３における線ＩＶ−ＩＶに沿う断面図を示す。
【図５】半円状保持みぞを備える固定装置のねじピンに関する側面図を示す。
【図６】円筒状保持みぞを備える固定装置のねじピンに関する側面図を示す。
【図７】付属された保持みぞを備える固定装置のねじピンに関する側面図を示す。
【符号の説明】
【００２２】
１．．．．．正面
２．．．．．ガラス板
３．．．．．形材保持体
４．．．．．ウエブ
５．．．．．保持横木
６．．．．．ねじピン
７．．．．．前面  
８．．．．．固定円板
９．．．．．装飾枠
１０．．．．．差込み開口
１１．．．．．絶縁体
１３．．．．．パッキング
１４．．．．．密封枠
１５．．．．．突起
１６．．．．．保持みぞ
１８．．．．．固定装置
１９．．．．．ねじスリーブ
２１．．．．．半円状ヘッド
２２．．．．．円筒状ヘッド
２３．．．．．円筒状ヘッド
２４．．．．．半円状保持みぞ
２５．．．．．みぞ
２６．．．．．保持みぞ
２７．．．．．保持ウエブ
３６．．．．．構成部材
４５．．．．．スリット
４７．．．．．みぞ底
４９．．．．．側壁
５０．．．．．円盤状座金
【図１】
2007515574.tif 000003
【図２】
2007515574.tif 000004
【図３】
2007515574.tif 000005
【図４】
2007515574.tif 000006
【図５】
2007515574.tif 000007
【図６】
2007515574.tif 000008
【図７】
2007515574.tif 000009
【国際調査報告】
2007515574.tif 000010
2007515574.tif 000011
2007515574.tif 000012
2007515574.tif 000013